(57)【要約】【課題】状況に応じて、脈拍の測定精度と省電力のいずれを優先するかを切替えることができない。【解決手段】送信制御部１１は、赤外線送信器１４からの赤外線の送信を制御する。信号受信部１１は、赤外線受信器１５で受信した赤外線の波形信号を受信する。脈拍測定部９は、受信した赤外線の波形信号に基づいて、イヤホン５１を装着したユーザの脈拍を測定する。送信制御部１１は、脈拍の測定精度と省電力のいずれが優先されるかに基づいて、赤外線送信器１４からの赤外線の送信パターンを制御する。【選択図】図１
2015181909.tif 000002
【特許請求の範囲】
【請求項１】
赤外線送信器および赤外線受信器を備えたイヤホンを制御する電子機器であって、
前記赤外線送信器からの赤外線の送信を制御する送信制御部と、
前記赤外線受信器で受信した赤外線の波形信号を受信する受信部と、
前記受信した赤外線の波形信号に基づいて、前記イヤホンを装着したユーザの脈拍を測定する測定部とを備え、
前記送信制御部は、前記脈拍の測定精度と省電力のいずれが優先されるかに基づいて、前記赤外線送信器からの赤外線の送信パターンを制御する、電子機器。
【請求項２】
前記送信制御部は、前記測定精度を優先するときには、前記赤外線の送信パワーを大きくし、前記省電力を優先するときには、前記赤外線の送信パワーを小さくする、請求項１記載の電子機器。
【請求項３】
前記送信制御部は、前記測定精度を優先するときには、前記赤外線の送信パルスの間隔を短くし、前記省電力を優先するときには、前記赤外線の送信パルスの間隔を長くする、請求項１記載の電子機器。
【請求項４】
前記送信制御部は、前記省電力を優先するときには、前記赤外線の送信を停止する、請求項１記載の電子機器。
【請求項５】
前記送信制御部は、前記測定精度を優先するときには、複数個の赤外線の送信パルスを連続して送信し、
前記測定部は、前記複数個の赤外線の送信パルスにそれぞれ対応する複数個の反射パルスの平均値を用いて、前記脈拍を測定する、請求項１記載の電子機器。
【請求項６】
前記送信制御部は、前記イヤホンが耳に装着されることが確認され、または前記イヤホンの耳への装着可能性が相対的に大きいと判断される場合には、前記測定精度を優先し、
前記イヤホンの耳への装着可能性が相対的に小さいと判断される場合には、前記省電力を優先する、請求項１記載の電子機器。
【請求項７】
前記送信制御部は、前記受信した赤外線に前記赤外線送信器から送信された赤外線の反射光が含まれている場合に、前記測定精度を優先する、請求項６記載の電子機器。
【請求項８】
前記送信制御部は、前記イヤホンが前記電子機器に接続された直後の一定期間では、前記一定期間外よりも、前記測定精度を優先する、請求項６記載の電子機器。
【請求項９】
前記送信制御部は、前記イヤホンが前記電子機器に接続された後、前記イヤホンの耳への装着が検出されない状態で一定時間経過すると、前記省電力を優先する、請求項６項記載の電子機器。
【請求項１０】
前記電子機器は、アプリケーションを動作させるアプリケーション実行部を備え、
前記送信制御部は、前記イヤホンが前記電子機器に接続された状態で、特定のアプリケーションが起動された直後の一定期間では、前記一定期間外よりも、前記測定精度を優先する、請求項６記載の電子機器。
【請求項１１】
前記電子機器は、前記電子機器の移動または停止を検出する検出部を備え、
前記送信制御部は、前記イヤホンが前記電子機器に接続され、かつ前記電子機器が静止状態であると検出された期間には、前記期間外よりも、前記省電力を優先する、請求項６記載の電子機器。
【請求項１２】
前記送信制御部は、前記測定部による測定開始直後から前記受信した赤外線に前記赤外線送信器から送信された赤外線の反射光が含まれていることを検出するまでは、前記測定精度を優先し、前記検出後は、前記省電力を優先する、請求項１記載の電子機器。
【請求項１３】
前記送信制御部は、前記脈拍が所定値以上と予測される場合には、前記脈拍が前記所定値未満と予測しない場合よりも、前記測定精度を優先する、請求項１記載の電子機器。
【請求項１４】
前記電子機器は、前記電子機器の単位時間当たりの移動量を検出する検出部と、
前記送信制御部は、前記電子機器の単位時間当たりの移動量が所定値以上のときには、前記測定精度を優先する、請求項１記載の電子機器。
【請求項１５】
前記電子機器は、前記測定部による前記脈拍の測定値を記憶する記憶部を備え、
前記送信制御部は、前記記憶部に記憶されている過去の脈拍の測定値が所定値以上のときには、前記測定精度を優先する、請求項１記載の電子機器。
【請求項１６】
前記送信制御部は、前記イヤホンが前記電子機器に接続された状態で、かつ前記電子機器が省電力モードの期間には、前記期間外よりも、前記省電力を優先する、請求項１記載の電子機器。
【請求項１７】
前記受信部は、前記赤外線の送信パターンに応じて、前記赤外線受信器の駆動を制御する、請求項１記載の電子機器。
【請求項１８】
前記受信部は、前記赤外線の送信パルスの間隔に応じて、前記赤外線受信器を駆動する間隔を制御する、請求項１７記載の電子機器。
【請求項１９】
前記イヤホンの耳への装着状態をユーザに報知する報知部を備える、請求項１記載の電子機器。
【請求項２０】
前記報知部は、前記受信した赤外線に前記赤外線送信器から送信された赤外線の反射光が含まれていない場合に、前記イヤホンが耳に装着されていないことを報知する、請求項１９記載の電子機器。
【請求項２１】
前記電子機器は、表示部を備え、
前記報知は、前記表示部上での報知である、請求項２０記載の電子機器。
【請求項２２】
前記報知部は、前記受信した赤外線に所定量以上のノイズが含まれている場合には、前記イヤホンが耳に正しく装着されていないことを報知する、請求項１９記載の電子機器。
【請求項２３】
前記報知は、前記イヤホンからの音声出力である、請求項２２記載の電子機器。
【請求項２４】
前記報知部は、特定のアプリケーションを起動していないときには、前記報知を行なわない、請求項１９〜２３のいずれか１項に記載の電子機器。
【請求項２５】
前記赤外線の送信パターンのユーザによる指定を受け付ける入力部を備える、請求項１記載の電子機器。
【請求項２６】
光送信器および光受信器を備えたイヤホンを制御する電子機器であって、
前記光送信器からの光の送信を制御する送信制御部と、
前記光受信器で受信した光の波形信号を受信する受信部と、
前記受信した光の波形信号に基づいて、前記イヤホンを装着したユーザの脈拍を測定する測定部とを備え、
前記送信制御部は、前記脈拍の測定精度と省電力のいずれが優先されるかに基づいて、前記光送信器からの光の送信パターンを制御する、電子機器。
【発明の詳細な説明】
【技術分野】
【０００１】
本発明は、電子機器に関し、特に、他の電子機器との間で電力を伝送する電子機器に関する。
【背景技術】
【０００２】
ユーザの耳穴部位に光を照射し、反射された光によってユーザの脈拍を測定する装置が知られている。
【０００３】
たとえば、特許文献１（特開２００７−０５４６５０号公報）に記載の装置は、耳穴の皮膚から伝えられた光を検出して生体情報が含まれているＰＰＧ信号を出力するＰＰＧ測定モジュールを含む。ＰＰＧ測定モジュールは、耳穴の皮膚に光を照射する光源部と、光源部により照射されて耳穴の皮膚から反射された光を検出する光検出部とを含む。ＰＰＧ信号処理部は、ＰＰＧ信号のピークを検出し、ピークの時間間隔を計算して脈拍を測定する脈拍検出部を含む。
【先行技術文献】
【特許文献】
【０００４】
【特許文献１】特開２００７−０５４６５０号公報
【発明の概要】
【発明が解決しようとする課題】
【０００５】
ところで、脈拍の測定精度を上げると、電力の消費量が大きくなり、電力の消費量を小さくすると、脈拍の測定精度が低下するという問題がある。
【０００６】
しかしながら、特許文献１（特開２００７−０５４６５０号公報）に記載の装置では、状況に応じて、脈拍の測定精度と省電力のいずれを優先するかを切替えることができないという問題がある。
【課題を解決するための手段】
【０００７】
本発明の一態様による電子機器は、赤外線送信器および赤外線受信器を備えたイヤホンを制御する電子機器であって、赤外線送信器からの赤外線の送信を制御する送信制御部と、赤外線受信器で受信した赤外線の波形信号を受信する受信部と、受信した赤外線の波形信号に基づいて、イヤホンを装着したユーザの脈拍を測定する測定部とを備える。送信制御部は、脈拍の測定精度と省電力のいずれが優先されるかに基づいて、赤外線送信器からの赤外線の送信パターンを制御する。
【発明の効果】
【０００８】
本発明の一態様によれば、状況に応じて、脈拍の測定精度と、省電力のいずれを優先するかを切替えることができる。
【図面の簡単な説明】
【０００９】
【図１】本発明の実施形態のスマートフォンと、スマートフォンに接続されるイヤホンの構成を表わす図である。
【図２】赤外線の送信、および受信の様子を表わす図である。
【図３】送信波形の例を表わす図である。
【図４】受信波形の例を表わす図である。
【図５】赤外線送信器から出力される赤外線の送信パルスの例である。
【図６】図５の送信パルスＳが送信されたときの赤外線受信器で受信される受信波の一例を表わす図である。
【図７】図５の送信パルスＳが送信されたときの赤外線受信器で受信される受信波の別の例を表わす図である。
【図８】図５の送信パルスＳが送信されたときの赤外線受信器で受信される受信波のさらに別の例を表わす図である。
【図９】第１の実施形態の脈拍の測定手順を表わすフローチャートである。
【図１０】図９のステップＳ１０１での優先内容の判断の第１の実施形態を表わすフローチャートである。
【図１１】図９のステップＳ１０２での送信パターンの制御の第１の実施形態を表わすフローチャートである。
【図１２】図９のステップＳ１０１での優先内容の判断の第２の実施形態を表わすフローチャートである。
【図１３】図９のステップＳ１０１での優先内容の判断の第３の実施形態を表わすフローチャートである。
【図１４】図９のステップＳ１０１での優先内容の判断の第４の実施形態を表わすフローチャートである。
【図１５】図９のステップＳ１０１での優先内容の判断の第５の実施形態を表わすフローチャートである。
【図１６】図９のステップＳ１０１での優先内容の判断の第６の実施形態を表わすフローチャートである。
【図１７】図９のステップＳ１０１での優先内容の判断の第７の実施形態を表わすフローチャートである。
【図１８】図９のステップＳ１０１での優先内容の判断の第８の実施形態を表わすフローチャートである。
【図１９】図９のステップＳ１０１での優先内容の判断の第９の実施形態を表わすフローチャートである。
【図２０】図９のステップＳ１０１での優先内容の判断の第１０の実施形態を表わすフローチャートである。
【図２１】図９のステップＳ１０１での優先内容の判断の第１１の実施形態を表わすフローチャートである。
【図２２】第１２の実施形態の脈拍測定の手順を表わすフローチャートである。
【図２３】図２２のステップＳ１１０での赤外線受信器の駆動の第１２の実施形態を表わすフローチャートである。
【図２４】図９のステップＳ１０２での送信パターンの制御の第１３の実施形態を表わすフローチャートである。
【図２５】図９のステップＳ１０２での送信パターンの制御の第１４の実施形態を表わすフローチャートである。
【図２６】図９のステップＳ１０２での送信パターンの制御の第１５の実施形態を表わすフローチャートである。
【図２７】送信される送信パルスの例を表わす図である。
【図２８】反射パルスの例を表わす図である。
【図２９】第１６の実施形態の報知処理の手順を表わすフローチャートである
【発明を実施するための形態】
【００１０】
以下、本発明の実施の形態について図面を用いて説明する。
［第１の実施形態］
図１は、本発明の実施形態のスマートフォン１と、スマートフォン１に接続されるイヤホン５１の構成を表わす図である。
【００１１】
図１を参照して、スマートフォン１は、アンテナ２と、無線通信部３と、アプリケーションプログラム実行部４と、移動量検出部５と、入力部６と、表示部７と、メモリ８と、音声出力部１２と、送信制御部１１と、信号受信部１０と、脈拍測定部９とを備える。
【００１２】
イヤホン５１は、シリコンキャップ１３と、ハウジング１６と、ダイナミックスピーカ１７と、赤外線送信器１４と、赤外線受信器１５とを備える。
【００１３】
入力部６は、タッチパネルなどで構成され、ユーザによる入力を受け付ける。
表示部７は、液晶ディスプレイで構成される。
【００１４】
無線通信部３は、アンテナ２を通じて無線基地局との間で無線通信を行なう。
アプリケーションプログラム実行部４は、音楽アプリケーション、ワークアウト用アプリケーションなどの各種のアプリケーションを実行する。
【００１５】
移動量検出部５は、加速度センサを含み、スマートフォン１の移動量を検出する。
メモリ８は、脈拍の測定結果などを記憶する。
【００１６】
音声出力部１２は、音声を外部に出力する。音声出力部１２は、イヤホン５１がスマートフォン１に接続されているときには、イヤホン５１内のダイナミックスピーカ１７を通じて音声を外部に出力する。
【００１７】
送信制御部１１は、赤外線送信器１４からの赤外線の送信を制御する。
信号受信部１０は、赤外線受信器１５で受信した赤外線の波形信号を受信する。
【００１８】
脈拍測定部９は、受信した赤外線の波形信号に基づいて、イヤホン５１を装着したユーザの脈拍を測定する。
【００１９】
ハウジング１６は、ダイナミックスピーカ１７、赤外線送信器１４、および赤外線受信器１５を収納する。ハウジング１６は、ダイナミックスピーカ１７から出力される音声の響鳴部分として機能する。シリコンキャップ１３は、ハウジング１６に装着される。
【００２０】
赤外線送信器１４、赤外線を送信する。赤外線受信器１５は、赤外線を受信する。
図２は、赤外線の送信、および受信の様子を表わす図である。
【００２１】
赤外線送信器１４と赤外線受信器１５は、外耳の皮膚に向けられるようにイヤホン５１がユーザの耳に装着される。
【００２２】
赤外線送信器１４から送信された送信波は、外耳の皮膚で反射し、赤外線受信器１５によって受信波として受信される。
【００２３】
外耳の皮膚の下には、血管があり、血液が流れている。たとえば、赤外線送信器１４が、図３のような送出波を送信した場合には、赤外線受信器１５で受信される受信波の信号波形は、図４のようになる。脈拍によって血管が収縮することで、赤外線の吸収量が変わり、受信波の周期が脈拍の周期と同じになる。この受信波の周期によって脈拍を計算することができる。
【００２４】
図５は、赤外線送信器１４から出力される赤外線の送信パルスＳの例である。
図６は、図５の送信パルスＳが送信されたときの赤外線受信器１５で受信される受信波の一例を表わす図である。この例は、ユーザが耳にイヤホン５１を装着していない場合の例である。ユーザが耳にイヤホン５１を装着していない場合には、受信波は外来光 (たとえば、太陽光や蛍光灯から出力される赤外線)によるノイズ成分のみとなる。
【００２５】
図７は、図５の送信パルスが送信されたときの赤外線受信器１５で受信される受信波の別の例を表わす図である。この例は、ユーザが耳にイヤホン５１を装着している場合の例である。ユーザが耳にイヤホン５１を装着している場合には、受信波には、図５の送信パルスＳがユーザの外耳の皮膚で反射した反射パルスＲが含まれる。
【００２６】
図８は、図５の送信パルスが送信されたときの赤外線受信器１５で受信される受信波のさらに別の例を表わす図である。
【００２７】
イヤホン５１が耳に正しく収まっていない場合には、受信波には、反射波と外来光とが含まれる。この場合、後述のように赤外線の送信パワーを大きくすることによって、受信波に含まれる反射波の成分の比率を上げることによって、脈拍の測定が可能となる。
【００２８】
図９は、第１の実施形態の脈拍の測定手順を表わすフローチャートである。
ステップＳ１０１において、送信制御部１１は、脈拍の測定精度を省電力のいずれを優先するかを判断する。
【００２９】
ステップＳ１０２において、送信制御部１１は、判断結果に基づいた送信パターンの赤外線を赤外線送信器１４から送信されるように制御する。
【００３０】
ステップＳ１０３において、赤外線受信器１５が赤外線を受信し、受信した赤外線の波形信号を出力する。
【００３１】
ステップＳ１０４において、信号受信部１０は、赤外線受信器１５からの赤外線の波形信号を受信する。脈拍測定部９は、受信した赤外線の波形信号に基づいて、ユーザの脈拍を測定する。
【００３２】
図１０は、図９のステップＳ１０１での優先内容の判断の第１の実施形態を表わすフローチャートである。
【００３３】
ステップＳ４０１において、イヤホン５１がユーザの耳に装着されていることが確認された場合には（Ｓ４０１：ＹＥＳ）、処理がステップＳ４０３に進む。また、イヤホン５１がユーザの耳に装着されていることが確認されなかった場合には（Ｓ４０１：ＮＯ）、処理がステップＳ４０２に進む。また、ステップＳ４０２において、イヤホン５１がユーザの耳に装着されている可能性が相対的に大きいと判断される場合には（Ｓ４０２：ＹＥＳ）、処理がステップＳ４０３に進む。また、イヤホン５１がユーザの耳に装着されている可能性が相対的に小さいと判断される場合には（Ｓ４０２：ＮＯ）、処理がステップＳ４０４に進む。
【００３４】
ステップＳ４０３において、送信制御部１１は、測定精度を優先する。
ステップＳ４０４において、送信制御部１１は、省電力を優先する。イヤホン５１が耳に挿さってない間は、頻繁な赤外線送出は意味がなく、ある程度の間隔を空けて、パルス信号を送出することで、イヤホン５１が耳に挿さってない間の消費電流を大幅に削減する事ができる。
【００３５】
図１１は、図９のステップＳ１０２での送信パターンの制御の第１の実施形態を表わすフローチャートである。
【００３６】
ステップＳ３０１において、測定精度を優先する場合には（Ｓ３０１：ＹＥＳ）、処理がステップＳ３０２に進み、省電力を優先する場合には（Ｓ３０１：ＮＯ）、処理がステップＳ３０３に進む。
【００３７】
ステップＳ３０２において、送信制御部１１は、赤外線送信器１４からの赤外線の送信パルスの間隔を相対的に短くする。たとえば、送信パルスの間隔をｄ１とする。
【００３８】
ステップＳ３０３において、送信制御部１１は、赤外線送信器１４からの赤外線の送信パルスの間隔を相対的に長くする。たとえば、送信パルスの間隔をｄ２とする。ただし、ｄ１＜ｄ２である。このｄ１とｄ２の値は、ユーザが入力部６を通じて指定することとしてもよい。
【００３９】
以上のように、本実施の形態では、イヤホン５１が耳に装着されていることが確認され、または確認はされていないが装着されている可能性が大きい場合には、測定精度が優先されて、送信パルスの間隔が短くなるので、ユーザの脈拍を高精度に測定することができる。一方、イヤホン５１が耳に装着されていることが確認されず、かつ装着されている可能性が小さい場合には、省電力が優先されて、送信パルスの間隔が長くなるので、測定不能の可能性が大きいにも関わらず、高電力を消費されるのを防止できる。
【００４０】
［第２の実施形態］
本実施の形態では、赤外線受信器１５で受信した赤外線に赤外線送信器１４から送信された赤外線の反射光が含まれている場合に、ユーザの耳にイヤホン５１が装着されていることが確認されたとして、測定精度を優先する。
【００４１】
図１２は、図９のステップＳ１０１での優先内容の判断の第２の実施形態を表わすフローチャートである。
【００４２】
ステップＳ１５０において、送信制御部１１は、省電力を優先する。これは、受信した赤外線に反射光が含まれているかどうかの判断のために、赤外線を送信するため、測定精度は要求されないからである。
【００４３】
ステップＳ１５１において、受信した赤外線に赤外線送信器１４から送信された赤外線の反射光が含まれている場合には（Ｓ１５１：ＹＥＳ）、処理がステップＳ１５２に進み、反射光が含まれていない場合には（Ｓ１５１：ＮＯ）、処理がステップＳ１５３に進む。
【００４４】
ステップＳ１５２において、送信制御部１１は、測定精度を優先する。
ステップＳ１５３において、送信制御部１１は、省電力を優先する。
【００４５】
［第３の実施形態］
本実施の形態では、イヤホン５１とスマートフォン１とが接続された直後のタイミングでは、ユーザが、脈拍の測定のために耳にイヤホン５１を装着する可能性が大きいので、測定精度を優先する。
【００４６】
図１３は、図９のステップＳ１０１での優先内容の判断の第３の実施形態を表わすフローチャートである。
【００４７】
ステップＳ５０１において、現時点が、イヤホン５１がスマートフォン１に接続された直後の一定期間内に含まれる場合には（Ｓ５０１：ＹＥＳ）、処理がステップＳ５０２に進み、現時点が、上記一定期間に含まれない場合には（Ｓ５０１：ＮＯ）、処理がステップＳ５０３に進む。
【００４８】
ステップＳ５０２において、送信制御部１１は、測定精度を優先する。
ステップＳ５０３において、送信制御部１１は、省電力を優先する。
【００４９】
［第４の実施形態］
本実施の形態では、イヤホン５１とスマートフォン１とが接続されてから一定時間（たとえば１分）経過しても、イヤホン５１が耳に装着されたことが確認されない場合には、それ以降もユーザは脈拍の測定のためにイヤホン５１を耳に装着する可能性が小さいと判断し、省電力を優先する。
【００５０】
図１４は、図９のステップＳ１０１での優先内容の判断の第４の実施形態を表わすフローチャートである。
【００５１】
ステップＳ２５１において、イヤホン５１がスマートフォン１に接続された場合に（Ｓ２５１：ＹＥＳ）、処理がステップＳ２５２に進む。
【００５２】
ステップＳ２５２において、送信制御部１１は、省電力を優先する。これは、受信した赤外線に反射光が含まれているかどうかの判断のために、赤外線を送信するため、測定精度は要求されないからである。
【００５３】
ステップＳ２５３において、送信制御部１１は、タイマをスタートさせる。
ステップＳ２５４において、イヤホン５１が耳に装着されたことが確認された場合には（Ｓ２５４：ＹＥＳ）、処理がステップＳ２５７に進み、イヤホン５１が耳に装着されたことが確認されない場合には（Ｓ２５４：ＮＯ）、処理がステップＳ２５５に進む。
【００５４】
ステップＳ２５５において、タイマ値が所定時間に達したら（Ｓ２５５：ＹＥＳ）、処理がステップＳ２５６に進み、タイマ値が所定時間に達していない場合には（Ｓ２５５：ＮＯ）、処理がステップＳ２５４に戻る。
【００５５】
ステップＳ２５６において、送信制御部１１は、省電力を優先する。
ステップＳ２５７において、送信制御部１１は、測定精度を優先する。
【００５６】
［第５の実施形態］
本実施の形態では、スマートフォン１で音楽アプリケーションやワークアウト（運動プログラム）用のアプリケーションを起動したタイミングでは、ユーザが耳にイヤホン５１を装着する可能性が大きいので、測定精度を優先する。
【００５７】
図１５は、図９のステップＳ１０１での優先内容の判断の第５の実施形態を表わすフローチャートである。
【００５８】
ステップＳ６０１において、イヤホン５１がスマートフォン１に接続された場合に（Ｓ６０１：ＹＥＳ）、処理がステップＳ６０２に進む。
【００５９】
ステップＳ６０２において、現時点が、ワークアウト用のアプリケーションが起動後の一定期間内に含まれる場合には（Ｓ６０２：ＹＥＳ）、処理がステップＳ６０３に進み、現時点が、上記一定期間に含まれない場合には（Ｓ６０２：ＮＯ）、処理がステップＳ６０４に進む。
【００６０】
ステップＳ６０３において、送信制御部１１は、測定精度を優先する。
ステップＳ６０４において、送信制御部１１は、省電力を優先する。
【００６１】
［第６の実施形態］
本実施の形態では、ワークアウト時において、脈拍の測定を行なうユーザを対象にしたものである。そのようなユーザで使用されるスマートフォン１において、移動が検出されない場合には、ユーザがワークアウトを行なっておらず、ユーザが耳にイヤホン５１を装着していない可能性が大きいので、省電力を優先する。
【００６２】
図１６は、図９のステップＳ１０１での優先内容の判断の第６の実施形態を表わすフローチャートである。
【００６３】
ステップＳ８０１において、イヤホン５１がスマートフォン１に接続された場合に（Ｓ８０１：ＹＥＳ）、処理がステップＳ８０２に進む。
【００６４】
ステップＳ８０２において、移動量検出部５によってスマートフォン１が静止している状態であると検出された場合には（Ｓ８０２：ＹＥＳ）、処理がステップＳ８０３に進み、移動量検出部５によってスマートフォン１が移動している状態であると検出された場合には（Ｓ８０２：ＮＯ）、処理がステップＳ８０４に進む。
【００６５】
ステップＳ８０３において、送信制御部１１は、省電力を優先する。
ステップＳ８０４において、送信制御部１１は、測定精度を優先する。
【００６６】
［第７の実施形態］
本実施の形態では、スマートフォン１が、通常モードと、通常モードよりも少ない消費電力で動作する動作モードである省電力モードとの切り替えを行うことができるものとする。本実施の形態では、スマートフォン１が省電力モードに設定されている場合には、省電力を優先する。
【００６７】
図１７は、図９のステップＳ１０１での優先内容の判断の第７の実施形態を表わすフローチャートである。
【００６８】
ステップＳ７０１において、イヤホン５１がスマートフォン１に接続された場合に（Ｓ７０１：ＹＥＳ）、処理がステップＳ７０２に進む。
【００６９】
ステップＳ７０２において、省電力モードに設定されている場合には（Ｓ７０２：ＹＥＳ）、処理がステップＳ７０３に進み、省電力モードに設定されていない場合には（Ｓ７０２：ＮＯ）、処理がステップＳ７０４に進む。
【００７０】
ステップＳ７０３において、送信制御部１１は、省電力を優先する。
ステップＳ７０４において、送信制御部１１は、測定精度を優先する。
【００７１】
なお、省電力モードがオンのときには、省電力を優先するだけでなく、第３の実施形態の一定期間を短くすることとしてもよい。
【００７２】
［第８の実施形態］
本実施の形態では、測定される脈拍が速いと予測される場合には、測定精度を優先する。たとえば、測定精度を優先し、赤外線の間隔を短くすることによって、反射光の受信タイミングも短くなり、速い脈拍の測定が可能となる。
【００７３】
図１８は、図９のステップＳ１０１での優先内容の判断の第８の実施形態を表わすフローチャートである。
【００７４】
ステップＳ４５１において、脈拍測定部９で測定される脈拍が所定値以上となると予測される場合には（Ｓ４５１：ＹＥＳ）、処理がステップＳ４５２に進む。脈拍測定部９で測定される脈拍が所定値未満となると予測される場合には（Ｓ４５１：ＮＯ）、処理がステップＳ４５３に進む。
【００７５】
ステップＳ４５２において、送信制御部１１は、測定精度を優先する。
ステップＳ４５３において、送信制御部１１は、省電力を優先する。
【００７６】
［第９の実施形態］
本実施の形態では、ユーザがランニングなどのワークアウトを実行しており、脈拍が速くなると予測される場合には、測定精度を優先する。
【００７７】
図１９は、図９のステップＳ１０１での優先内容の判断の第９の実施形態を表わすフローチャートである。
【００７８】
ステップＳ５５１において、移動量検出部５によってスマートフォン１の単位時間当たりの移動量が所定値以上であると検出された場合には（Ｓ５５１：ＹＥＳ）、処理がステップＳ５５２に進む。移動量検出部５によってスマートフォン１の単位時間当たりの移動量が所定値未満であると検出された場合には（Ｓ５５１：ＮＯ）、処理がステップＳ５５３に進む。
【００７９】
ステップＳ５５２において、送信制御部１１は、測定精度を優先する。
ステップＳ５５３において、送信制御部１１は、省電力を優先する。
【００８０】
［第１０の実施形態］
本実施の形態では、ユーザの過去の脈拍の測定結果が速い場合に、これからの測定でも脈拍が速くなると予測されるので、測定精度を優先する。
【００８１】
図２０は、図９のステップＳ１０１での優先内容の判断の第１０の実施形態を表わすフローチャートである。
【００８２】
ステップＳ５５１において、脈拍測定部９によって測定されてメモリ８に記憶されている過去の脈拍の測定値が所定値以上の場合には（Ｓ５５１：ＹＥＳ）、処理がステップＳ６５２に進む。脈拍測定部９によって測定されてメモリ８に記憶されている過去の脈拍の測定値が所定値未満の場合には（Ｓ５５１：ＮＯ）、処理がステップＳ６５３に進む。
【００８３】
ステップＳ６５２において、送信制御部１１は、測定精度を優先する。
ステップＳ６５３において、送信制御部１１は、省電力を優先する。
【００８４】
［第１１の実施形態］
本実施の形態では、脈拍の測定開始から最初に反射光を検出するまでと、それ以降とで、優先すべき内容を切換える。
【００８５】
図２１は、図９のステップＳ１０１での優先内容の判断の第１１の実施形態を表わすフローチャートである。
【００８６】
ステップＳ６５１において、脈拍測定部９によって測定が開始される。
ステップＳ６５２において、送信制御部１１は、測定開始後には、測定精度を優先する。
【００８７】
ステップＳ６５３において、受信した赤外線に赤外線送信器１４から送信された赤外線の反射光が含まれている場合には（Ｓ６５３：ＹＥＳ）、処理がステップＳ６５４に進み、上記反射光が含まれていない場合には（Ｓ６５３：ＮＯ）、処理がステップＳ６５２に戻る。
【００８８】
ステップＳ６５４において、送信制御部１１は、省電力を優先する。
［第１２の実施形態］
本実施の形態では、赤外線の送信パターンに応じて、赤外線受信器１５の駆動パターンを変える。具体的には、本実施の形態では、赤外線の送信パルスの間隔に応じて、赤外線受信器１５を駆動する間隔を変える。
【００８９】
図２２は、第１２の実施形態の脈拍測定の手順を表わすフローチャートである。
ステップＳ１０１において、送信制御部１１は、前述のいずれかの実施形態の方法を用いて脈拍の測定精度を省電力のいずれを優先するかを判断する。
【００９０】
ステップＳ１０２において、送信制御部１１は、判断結果に基づいた送信パターンの赤外線を赤外線送信器１４から送信されるように制御する。
【００９１】
ステップＳ１１０において、赤外線送信器１４からの赤外線の送信パターンに応じて赤外線受信器１５を駆動する。
【００９２】
ステップＳ１０３において、赤外線受信器１５が赤外線を受信し、受信した赤外線の波形信号を出力する。
【００９３】
ステップＳ１０４において、信号受信部１０は、赤外線受信器１５からの赤外線の波形信号を受信する。脈拍測定部９は、受信した赤外線の波形信号に基づいて、ユーザの脈拍を測定する。
【００９４】
図２３は、図２２のステップＳ１１０での赤外線受信器１５の駆動の第１２の実施形態を表わすフローチャートである。
【００９５】
ステップＳ９５１において、赤外線送信器１４からの赤外線の送信パルスの間隔がｄ１の場合には（Ｓ９５１：ＹＥＳ）、処理がステップＳ９５２に進む。外線送信器１４からの赤外線の送信パルスの間隔がｄ１でない場合には（Ｓ９５１：ＮＯ）、処理がステップＳ９５３に進む。
【００９６】
ステップＳ９５２において、受信部は、赤外線受信器１５の駆動間隔をｄ１とし、赤外線送信器１４の赤外線の送信パルスのタイミングと同期するように、赤外線受信器１５に制御信号を出力する。
【００９７】
ステップＳ９５３において、赤外線送信器１４からの赤外線の送信パルスの間隔がｄ２の場合には（Ｓ９５３：ＹＥＳ）、処理がステップＳ９５４に進む。
【００９８】
ステップＳ９５４において、信号受信部１０は、赤外線受信器１５の駆動間隔をｄ２とし、赤外線送信器１４の赤外線の送信パルスのタイミングと同期するように、赤外線受信器１５に制御信号を出力する。
【００９９】
［第１３の実施形態］
本実施の形態では、測定精度と省電力のいずれを優先するかに基づく送信パターンの制御として、赤外線送信器１４からの送信パワーを切換える。
【０１００】
図２４は、図９のステップＳ１０２での送信パターンの制御の第１３の実施形態を表わすフローチャートである。
【０１０１】
ステップＳ２０１において、測定精度を優先する場合には（Ｓ２０１：ＹＥＳ）、処理がステップＳ２０２に進み、省電力を優先する場合には（Ｓ２０１：ＮＯ）、処理がステップＳ２０３に進む。
【０１０２】
ステップＳ２０２において、送信制御部１１は、赤外線送信器１４からの赤外線の送信パワーを相対的に大きくする。
【０１０３】
ステップＳ２０３において、送信制御部１１は、赤外線送信器１４からの赤外線の送信パワーを相対的に小さくする。
【０１０４】
ステップＳ２０２とＳ２０３の赤外線の送信パワーは、ユーザが入力部６を通じて指定することとしてもよい。
【０１０５】
［第１４の実施形態］
本実施の形態では、測定精度と省電力のいずれを優先するかに基づく送信パターンの制御として、赤外線送信器１４から赤外線の送信と停止を切換える。
【０１０６】
図２５は、図９のステップＳ１０２での送信パターンの制御の第１４の実施形態を表わすフローチャートである。
【０１０７】
ステップＳ３５１において、省電力を優先する場合には（Ｓ３５１：ＹＥＳ）、処理がステップＳ３５２に進み、測定精度を優先する場合には（Ｓ３５１：ＮＯ）、処理がステップＳ３５３に進む。
【０１０８】
ステップＳ３５２において、送信制御部１１は、赤外線送信器１４からの赤外線の送信を停止させる。
【０１０９】
ステップＳ３５３において、送信制御部１１は、赤外線送信器１４から赤外線を送信させる。
【０１１０】
［第１５の実施形態］
本実施の形態では、測定精度と省電力のいずれを優先するかに基づく送信パターンの制御として、赤外線送信器１４からの送信パルスの連続放射と通常放射と切換える。
【０１１１】
図２６は、図９のステップＳ１０２での送信パターンの制御の第１５の実施形態を表わすフローチャートである。図２７は、送信される送信パルスの例を表わす図である。図２８は、反射パルスの例を表わす図である。
【０１１２】
ステップＳ９５０において、送信制御部１１は、前述のいずれかの実施形態の方法を用いて、脈拍の測定精度と省電力のいずれを優先するかを判断する。
【０１１３】
ステップＳ９５１において、測定精度を優先する場合に（Ｓ９５１：ＹＥＳ）は、処理がステップＳ９５２に進み、省電力を優先する場合には（Ｓ９５１：ＮＯ）、処理がステップＳ９５３に進む。
【０１１４】
ステップＳ９５２において、送信制御部１１は、赤外線送信器１４から、図２７に示すように一定間隔ｄ１ごとに、連続した複数個の送信パルス（図２７の場合には信パルスＳ１，Ｓ２，Ｓ３）が送信されるように制御する。
【０１１５】
ステップＳ９５３において、赤外線受信器１５が赤外線を受信し、受信した赤外線の波形信号を出力する。信号受信部１０は、赤外線受信器１５からの赤外線の波形信号を受信する。脈拍測定部９は、複数個の送信パルスの反射パルスの信号の大きさの平均値を１時点の値とした時系列に基づいて、ユーザの脈拍を測定する。図２８の例では、３個の反射パルスの信号の大きさＰ１，Ｐ２，Ｐ３の平均値が１時点の値とされる。これによって、ワークアウト中などのように脈拍の変動が激しい場合でも、測定精度が低下しないようにすることができる。
【０１１６】
ステップＳ９５４において、送信制御部１１は、赤外線送信器１４から、一定間隔ｄ１ごとに、１個の送信パルスが送信されるように制御する。
【０１１７】
ステップＳ９５５において、赤外線受信器１５が赤外線を受信し、受信した赤外線の波形信号を出力する。信号受信部１０は、赤外線受信器１５からの赤外線の波形信号を受信する。脈拍測定部９は、各反射パルスの信号を１時点の値とした時系列に基づいて、ユーザの脈拍を測定する。
【０１１８】
［第１６の実施形態］
本実施の形態では、受信した光に、反射光が含まれるが、外来光によるノイズも多く含まれている場合は、ユーザがイヤホン５１を正しく耳に装着していない可能性が大きく、そのままでは測定精度が下がると予想されるため、ユーザに対して通知を行なう。この通知については、イヤホン５１のダイナミックスピーカ１７を通じた音声出力とともに、表示部７を通じてメッセージを表示する。
【０１１９】
また、受信した光が外来光によるノイズばかりであった場合、イヤホン５１がユーザの耳に全く装着されていない可能性があるため、ユーザに対して通知を行なう。この通知については、ユーザはイヤホン５１を装着していないので、音声ではなく、表示部７を通じてメッセージを表示する。
【０１２０】
さらには、ワークアウト用のアプリケーションが起動中であれば、ユーザが脈拍の測定を所望しているため、上述の通知をするが、ワークアウト用のアプリケーションが起動してない場合は、ユーザは脈拍の測定を所望していないため、上述の通知をしない。
【０１２１】
図２９は、第１６の実施形態の報知処理の手順を表わすフローチャートである。
ステップＳ１５１において、受信した赤外線に赤外線送信器１４から送信された赤外線の反射光が含まれている場合には（Ｓ１５１：ＹＥＳ）、処理がステップＳ１５２に進み、上記反射光が含まれていない場合には（Ｓ１５１：ＮＯ）、処理がステップＳ１５６に進む。
【０１２２】
ステップＳ１５２において、送信制御部１１は、測定精度を優先する。
ステップＳ１５３において、受信した赤外線にノイズ成分が所定量以上含まれている場合には（Ｓ１５３：ＹＥＳ）、処理がステップＳ１５４に進む。
【０１２３】
ステップＳ１５４において、ワークアプリ用のアプリケーションが起動されている場合には（Ｓ１５４：ＹＥＳ）、処理がステップＳ１５５に進む。
【０１２４】
ステップＳ１５５において、音声出力部１２は、イヤホンが耳に正しく装着されていないことを表わす音声をイヤホン５１のダイナミックスピーカ１７から出力するとともに、表示部７を通じてイヤホンが耳に正しく装着されていないことを表わすメッセージを表示する。
【０１２５】
ステップＳ１５６において、送信制御部１１は、省電力を優先する。
ステップＳ１５７において、ワークアプリ用のアプリケーションが起動されている場合には（Ｓ１５７：ＹＥＳ）、処理がステップＳ１５８に進む。
【０１２６】
ステップＳ１５８において、表示部７は、イヤホンが耳に装着されていないことを表わすメッセージを表示する。
【０１２７】
ステップＳ１５３においてＮＯ、Ｓ１５４においてＮＯ、Ｓ１５７においてＮＯの場合は、処理を終了する。
なお、本実施形態の変形例として、ワークアウト用のアプリケーションが起動されているか否かにかかわらず、Ｓ１５３においてＹＥＳの場合およびＳ１５７においてＹＥＳの場合に、処理がそれぞれステップＳ１５５およびステップＳ１５８に進んでもよい。
【０１２８】
（変形例）
本発明は、上記の実施形態に限定されるものではなく、たとえば以下のような変形例も含まれる。
【０１２９】
（１）上記の各実施形態は、単独でのみ実施可能というものではなく、上記各実施形態を組み合わせることが可能である。
【０１３０】
（２）可視光
本発明の実施形態では、脈拍測定のために用いる光の一例として赤外線を用いたが、これに限定するものではない。たとえば、可視光（緑色光）を用いても、同様の方法で脈拍を測定することが可能である。
【０１３１】
（３）電子機器
本発明の実施形態では、電子機器の一例としてスマートフォンを例として説明したが、本発明の電子機器は、スマートフォンに限定されるものではなく、他の種類の携帯端末、パソコン、またはタブレットなどのようなものも含まれる。
【０１３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３３】
１  スマートフォン、２  アンテナ、３  無線通信部、４  アプリケーションプログラム実行部、５  移動量検出部、６  入力部、７  表示部、８  メモリ、９  脈拍測定部、１０  信号受信部、１１  送信制御部、１２  音声出力部、１３  シリコンキャップ、１４  赤外線送信器、１５  赤外線受信器、１６  ハウジング、１７  ダイナミックスピーカ、５１  イヤホン。
【図１】
2015181909.tif 000003
【図２】
2015181909.tif 000004
【図３】
2015181909.tif 000005
【図４】
2015181909.tif 000006
【図５】
2015181909.tif 000007
【図６】
2015181909.tif 000008
【図７】
2015181909.tif 000009
【図８】
2015181909.tif 000010
【図９】
2015181909.tif 000011
【図１０】
2015181909.tif 000012
【図１１】
2015181909.tif 000013
【図１２】
2015181909.tif 000014
【図１３】
2015181909.tif 000015
【図１４】
2015181909.tif 000016
【図１５】
2015181909.tif 000017
【図１６】
2015181909.tif 000018
【図１７】
2015181909.tif 000019
【図１８】
2015181909.tif 000020
【図１９】
2015181909.tif 000021
【図２０】
2015181909.tif 000022
【図２１】
2015181909.tif 000023
【図２２】
2015181909.tif 000024
【図２３】
2015181909.tif 000025
【図２４】
2015181909.tif 000026
【図２５】
2015181909.tif 000027
【図２６】
2015181909.tif 000028
【図２７】
2015181909.tif 000029
【図２８】
2015181909.tif 000030
【図２９】
2015181909.tif 000031